(57)【特許請求の範囲】
【請求項１】
基板上に実装されるスイッチ付き同軸コネクタであって、
同軸プラグの中心導体を上方から受け入れ可能な孔を有する絶縁ハウジングと、
前記絶縁ハウジングの外側に設けられ、前記同軸プラグの外部導体が着脱可能な外部導体と、
前記孔内に露出するように設けられ、前記孔よりも小さい開口を有する接続部材と、
前記孔の下方かつ前記接続部材の下方に設けられ、前記同軸プラグの中心導体の受け入れによって下方に弾性変位可能な切り換えバネと、を備え、
前記接続部材と前記切り換えバネの間に絶縁物が配置されるように、前記絶縁物が前記切り換えバネの弾性部において厚み方向で係合した状態で固着されており、
前記接続部材と前記切り換えバネとの接続を切り離すために、前記同軸プラグの中心導体を挿入することで、前記中心導体の先端部分が前記絶縁物に接触し、前記接続部材の前記開口の下方領域に位置する前記切り換えバネの前記絶縁物を直接的に押して変位させて切り離し、前記絶縁物により前記中心導体と前記切り換えバネが電気的に絶縁された状態で、前記中心導体の外延部が前記接続部材に接触して前記中心導体と前記接続部材が電気的に接続されることを特徴とするスイッチ付き同軸コネクタ。
【請求項２】
基板上に実装されるスイッチ付き同軸コネクタであって、
同軸プラグの中心導体を上方から受け入れ可能な孔を有する絶縁ハウジングと、
前記絶縁ハウジングの外側に設けられ、前記同軸プラグの外部導体が着脱可能な外部導体と、
前記孔内に露出するように設けられ、前記孔よりも小さい開口を有する接続部材と、
前記孔の下方かつ前記接続部材の下方に設けられ、前記同軸プラグの中心導体の受け入れによって下方に弾性変位可能な切り換えバネと、を備え、
前記接続部材と前記切り換えバネの間に絶縁物が配置されるように、前記接続部材と前記切り換えバネの少なくとも一方の弾性部において、前記接続部材と前記切り換えバネの接触部よりも前記接続部材の延出方向の位置で、前記絶縁物が厚み方向で係合した状態で固着されており、
前記接続部材と前記切り換えバネとの接続を切り離すために、前記同軸プラグの中心導体を挿入することで、前記接続部材を押すことで前記接続部材が弾性変位して前記接続部材の前記開口の下方領域外に位置する前記絶縁物が押し下げられ、前記絶縁物を介して切り換えバネを間接的に変位させて切り離すことを特徴とするスイッチ付き同軸コネクタ。
【請求項３】
前記絶縁物は、前記接続部材と前記切り換えバネの少なくとも一方の上面及び下面に露出した部分を有し、前記上面及び下面の絶縁物は連結されていることを特徴とする請求項１又は２に記載のスイッチ付き同軸コネクタ。
【請求項４】
前記接続部材と前記切り換えバネの少なくとも一方は、孔を有し、その孔を通して前記上面と前記下面の絶縁物が連結されていることを特徴とする請求項３に記載のスイッチ付き同軸コネクタ。
【請求項５】
前記接続部材と前記切り換えバネの少なくとも一方は、側面に切り欠きを有し、その切り欠きを通して前記上面と前記下面の絶縁物が連結されていることを特徴とする請求項３に記載のスイッチ付き同軸コネクタ。
【請求項６】
前記絶縁物は、樹脂により、前記接続部材と前記切り換えバネの少なくとも一方とともに一体成形されていることを特徴とする請求項１〜５のいずれか１項に記載のスイッチ付き同軸コネクタ。
【請求項７】
前記接続部材は、弾性変位が可能であることを特徴とする請求項１又は２に記載のスイッチ付き同軸コネクタ。
【請求項８】
前記接続部材は、前記絶縁ハウジングの支持部で所定以上の下方移動が規制されることを特徴とする請求項７に記載のスイッチ付き同軸コネクタ。
【請求項９】
基板上に実装され、同軸プラグが着脱可能なスイッチ付き同軸コネクタであって、
前記同軸プラグの中心導体を上方から受け入れ可能な孔を有する絶縁ハウジングと、
前記絶縁ハウジングの外側に設けられ、前記同軸プラグの外部導体が着脱可能な外部導体と、
前記孔の下方に設けられ、前記孔よりも小さい開口を有し、前記同軸プラグの中心導体の受け入れによって下方に弾性変位可能な接続板と、
前記孔の下方かつ前記接続板の下方に設けられ、前記同軸プラグの中心導体の受け入れによって下方に弾性変位可能な切り換えバネと、を備え、
前記接続板と前記切り換えバネの間には、少なくとも一方の弾性部に、その厚み方向に係合固着された絶縁物を備え、
前記接続板は、前記孔内に前記同軸プラグの中心導体と接触する第１の接触部を上面に有するとともに、下面に前記切り換えバネと接触する第２の接触部を有し、
前記切り換えバネは、前記接続板と接触する第３の接触部を有し、
前記同軸プラグの中心導体が前記絶縁ハウジングの前記孔に嵌合しているとき、前記同軸プラグの中心導体が前記第１の接触部に接触して電気的に接続され、前記接続板の弾性変位によって、前記第２の接触部よりも前記接続板の延出方向に設けられた前記接続板の前記開口の下方領域外に位置する前記絶縁物が押し下げられて前記切り換えバネを下方に弾性変位させるとともに前記接続板との接触を接離させることを特徴とするスイッチ付き同軸コネクタ。
【発明の詳細な説明】
【技術分野】
【０００１】
本発明は、基板上に実装される同軸コネクタ、特に、高周波信号回路、アンテナ等を切り換えるためのスイッチ機構を備えたスイッチ付き同軸コネクタに関する。
【背景技術】
【０００２】
携帯電話機、ハンドヘルド型コンピュータ、タブレッド型コンピュータのような携帯式の情報通信機器において、内蔵される高周波回路の検査用にスイッチ付き同軸コネクタが広く使用されている。従来のスイッチ付き同軸コネクタとして、例えば、同軸プラグの中心導体を受入れ可能な孔を有する絶縁ハウジングと、この絶縁ハウジングの外側に設けられた外部導体と、孔の下方に設けられた固定端子及び可動端子とから成るものがある。さらに、固定端子は、接触部を備え、可動端子は、絶縁ハウジングに固定される固定部と、同軸プラグの中心導体と当接可能且つ接触部と接触可能な弾性部とを備えている（例えば、特開２００７−１４１６６５号公報（特許文献１）等参照）。
【０００３】
この従来のスイッチ付き同軸コネクタにおいて、同軸プラグが装着されていないときは、可動端子は弾性部の弾性力により固定端子の接触部に押し付けられて、固定端子と可動端子は電気的に接続された状態を保持する。一方、同軸プラグが装着されているときは、同軸プラグの中心導体の下端部は、コネクタの縦孔に挿通する。この状態で中心導体は弾性部に当接し、弾性部は中心導体の先端部により押し下げられ、弾性変形し、接触部から離間し、固定端子と可動端子は電気的に切り離されると同時に、中心導体と可動端子が電気接続された状態となる。これにより、可動端子から固定端子へ流れていた信号を可動端子から中心導体へ流して、可動端子に接続されている高周波回路を検査することができる。
【先行技術文献】
【特許文献】
【０００４】
【特許文献１】特開２００７−１４１６６５号公報
【特許文献２】特開２００８−２２６５８８号公報
【発明の概要】
【発明が解決しようとする課題】
【０００５】
近年、携帯式の情報通信機器の高周波回路やアンテナ等を切り換えてそれらの両方の測定や検査を行う必要性が高まってきた。従来のスイッチ付き同軸コネクタは、集積回路、電子部品等を実装した後に検査を行う場合、例えばアンテナを一時的に切り離して高周波回路のみに接続して検査を行うことは可能であったが、高周波回路を一時的に切り離してアンテナのみに接続して検査を行うことはできなかった。
【０００６】
そこで、複数の端子に切り換えられるスイッチ付き同軸コネクタの開発が必要になってくる。このような高周波回路とアンテナの両方の特性を測定可能なスイッチ付き同軸コネクタとして、例えば、特開２００８−２２６５８８号公報（特許文献２）に記載された技術がある。特許文献２記載のスイッチ付き同軸コネクタは、プラグ側に樹脂製突起を設け、コネクタ嵌合時に、樹脂製突起がレセプタクルの第１スイッチバネに当接して押し下げて第１スイッチバネとの電気接続を遮断し、第２スイッチバネとの電気接続を維持し、また逆に、樹脂製突起がレセプタクルの第２スイッチバネに当接して押し下げて第２スイッチバネとの電気接続を遮断し、第１スイッチバネとの電気接続を維持することによって、プラグの樹脂製突起の位置を替えて電気接続を切り換えるものである。
【０００７】
しかしながら、特許文献２記載のスイッチ付き同軸コネクタは、同軸コネクタの構造が非常に複雑になり製造効率も低く、大型化するものであった。また、プラグコネクタの嵌合時の方向が決められているので、使い勝手が悪かった。
【０００８】
そこで、本発明の目的は、高生産性、低コストで、操作性が良く、しかも耐久性の高い、複数端子の切り替えが可能なスイッチ付き同軸コネクタを提供することにある。本発明の前記並びにその他の目的と新規な特徴は、本明細書の記述及び添付図面から明らかになるであろう。
【課題を解決するための手段】
【０００９】
本願において開示される発明のうち、代表的なものの概要を簡単に説明すれば、次のとおりである。
【００１０】
すなわち、本発明に係る同軸コネクタは、基板上に実装されるスイッチ付き同軸コネクタであって、同軸プラグの中心導体を上方から受け入れ可能な孔を有する絶縁ハウジングと、前記絶縁ハウジングの外側に設けられ、前記同軸プラグの外部導体が着脱可能な外部導体と、前記孔内に露出するように設けられる接続部材と、前記孔の下方かつ前記接続部材の下方に設けられ、前記同軸プラグの中心導体の受け入れによって下方に弾性変位可能な切り換えバネと、を備え、前記接続部材と前記切り換えバネの間に絶縁物が配置されるように、前記絶縁物が前記接続部材と前記切り換えバネの少なくとも一方において厚み方向で係合した状態で固着されており、前記接続部材と前記切り換えバネとの接続を切り離すために、前記同軸プラグの中心導体を挿入することで、前記切り換えバネを直接的に押して変位させて切り離すか、或いは、前記接続部材を押すことで前記絶縁部材を介して切り換えバネを間接的に変位させて切り離すことを特徴とするものである。
【００１１】
また、本発明に係る同軸コネクタは、基板上に実装されるスイッチ付き同軸コネクタであって、第１及び第２の同軸プラグの中心導体を上方から受け入れ可能な孔を有する絶縁ハウジングと、前記絶縁ハウジングの外側に設けられ、前記第１及び第２の同軸プラグの外部導体が着脱可能な外部導体と、前記孔の下方に設けられ、前記同軸プラグの中心導体の受け入れによって下方に弾性変位可能な接続板と、前記孔の下方かつ前記接続板の下方に設けられ、前記同軸プラグの中心導体の受け入れによって下方に弾性変位可能な切り換えバネと、を備え、前記接続板と切り換えバネの間には、少なくとも一方に、その厚み方向に係合固着された絶縁物を備え、前記接続板は、前記第１の同軸プラグの中心導体が前記絶縁ハウジングの前記孔に嵌合しているとき、前記第１の同軸プラグの中心導体の外延部が接触する第１の接触部を上面に有し、前記切り換えバネは、前記第２の同軸プラグの中心導体が前記絶縁ハウジングの前記孔に嵌合しているとき、前記第２の同軸プラグの中心導体が接触する第２の接触部を上面に有し、前記接続板は、前記第１及び第２の同軸プラグの中心導体のいずれもが前記絶縁ハウジングの前記孔に嵌合していないとき、前記切り換えバネの後記第４の接触部に接触する第３の接触部を下面に有し、前記切り換えバネは、前記第１及び第２の同軸プラグの中心導体のいずれもが前記絶縁ハウジングの前記孔に嵌合していないとき、前記接続板の前記第３の接触部に接触する第４の接触部を上面に有することを特徴とするものである。
【発明の効果】
【００１２】
本発明によれば、複数端子の切り替えが可能なスイッチ付き同軸コネクタにおいて
（１）高生産性、低コストで生産できる。
（２）同軸プラグ挿着時の回転角度の制限がなく操作性良くできる。
（３）絶縁物が接続部材と切り換えバネの少なくとも一方において厚み方向で係合した状態で固着されているので、耐久性が高くなる。
【図面の簡単な説明】
【００１３】
【図１】本発明の一実施の形態による同軸コネクタの全体構成を示す平面図である。
【図２】図１のＡ−Ａ切断面における断面図である。
【図３】図１のＡ−Ａ切断面における斜視断面図である。
【図４】本発明の一実施の形態による同軸コネクタの分解斜視図である。
【図５】絶縁物が一体成形された切り換えバネの構成例を示す斜視図である。
【図６】絶縁物が一体成形される前の切り換えバネの構成例を示す斜視図である。
【図７】絶縁物が一体成形された切り換えバネの第１の変形例を示す斜視図である。
【図８】絶縁物が一体成形される前の切り換えバネの第１の変形例を示す斜視図である。
【図９】絶縁物が一体成形された切り換えバネの第２の変形例を示す斜視図である。
【図１０】絶縁物が一体成形される前の切り換えバネの第２の変形例を示す斜視図である。
【図１１】絶縁物が一体成形された切り換えバネの第３の変形例を示す斜視図である。
【図１２】絶縁物が一体成形される前の切り換えバネの第３の変形例を示す斜視図である。
【図１３】接続板の変形例を示す斜視図である。
【図１４】下側絶縁ハウジングと切り換えバネを組み合わせた構成を示す斜視図である。
【図１５】上側絶縁ハウジングと接続板と外部導体を組み合わせた構成を示す斜視図である。
【図１６】外延部を持つ同軸プラグを同軸コネクタに嵌合した状態を示す図である。
【図１７】外延部を持たない同軸プラグを同軸コネクタに嵌合した状態を示す図である。
【図１８】本発明の他の実施の形態において、同軸コネクタの接続板の下面に絶縁物を設けた構成を示す斜視図である。
【図１９】図１８に示した実施の形態において、同軸コネクタの接続板の下面に絶縁物を設けた構成を示す図であり、（ａ）は平面図、（ｂ）はＡ−Ａ切断面における断面図である。
【図２０】本発明の他の実施の形態において、同軸コネクタの接続板の下面に絶縁物を設けた構成を示す斜視図である。
【図２１】図２０に示した実施の形態において、同軸コネクタの接続板の下面に絶縁物を設けた構成を示す図であり、（ａ）は平面図、（ｂ）はＡ−Ａ切断面における断面図である。
【図２２】本発明の他の実施の形態において、同軸コネクタの接続板の下面に絶縁物を設けた構成を示す斜視図である。
【発明を実施するための形態】
【００１４】
以下、本発明の実施の形態を図面に基づいて詳細に説明する。なお、実施の形態を説明するための全図において、同一部材には原則として同一の符号を付し、その繰り返しの説明は省略する。以下の実施の形態においては便宜上その必要があるときは、複数のセクションまたは実施の形態に分割して説明するが、特に明示した場合を除き、それらは互いに無関係なものではなく、一方は他方の一部または全部の変形例、詳細、補足説明等の関係にある。また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。
【００１５】
図１は本発明の一実施の形態による同軸コネクタの全体構成を示す平面図、図２は図１のＡ−Ａ切断面による断面図、図３は図１のＡ−Ａ切断面による斜視断面図、図４は同軸コネクタの分解斜視図である。まず、図１〜図４により、本実施の形態による同軸コネクタの構成を説明する。本実施の形態による同軸コネクタ１００は、基板上に実装されるスイッチ付き同軸コネクタであって、同軸プラグ７００ａ、７００ｂ（図１６、図１７等参照）の中心導体７０１ａ、７０１ｂを上方から受け入れ可能な縦孔２０３を有する絶縁ハウジング２００（絶縁ハウジング２００は上側絶縁ハウジング２００ａ及び下側絶縁ハウジング２００ｂで構成される。）と、絶縁ハウジング２００の外側に設けられ、同軸プラグ７００ａ、７００ｂの外部導体７０２ａ、７０２ｂが着脱可能な外部導体３００と、縦孔２０３の下方に設けられた接続板４００と、縦孔２０３の下方かつ接続板４００の下方に設けられた切り換えバネ５００と、切り換えバネ５００の両面に一体成形で形成された絶縁物６０１などから構成される。同軸コネクタ１００は、基板上に実装可能であり、外部に露出した接続板４００の基板接続部４０１や切り換えバネ５００の基板接続部５０１を通じて基板の回路に接続されることにより、基板回路の一部を形成し得る。
【００１６】
本実施の形態による同軸コネクタ１００は、携帯電話機、スマートフォン、ノート型パーソナルコンピュータ、タブレット型パーソナルコンピュータのような携帯式の情報通信機器において、内蔵される高周波回路およびアンテナの特性試験、検査用などに使用される。また、高周波回路用に、外部導体３００はシールドされ、接続板４００及び切り換えバネ５００はインピーダンス整合がとられている。
【００１７】
絶縁ハウジング２００は、例えば、プラスチック等の絶縁性の樹脂で形成される。絶縁ハウジング２００は、本体部分が略直方体形状であり、その略中心の上部が円筒状となっている。また、絶縁ハウジング２００の上面には、すり鉢状の凹部２０２が形成され、この凹部２０２の底面中央部には、同軸プラグ７００ａ、７００ｂの中心導体７０１ａ、７０１ｂを上方から受け入れ可能な縦孔２０３が穿設されている。さらに、この縦孔２０３の下方には、この縦孔２０３と連通する横長の空間２０４が形成され、同軸プラグ７００ａ、７００ｂが装着されると、中心導体７０１ａ、７０１ｂの先端部が縦孔２０３を挿通し、空間２０４に達するようになっている。なお、絶縁ハウジング２００は、例えば２つの構成部品（上側絶縁ハウジング２００ａ及び下側絶縁ハウジング２００ｂ）に分けることが可能であり、接続板４００及び切り換えバネ５００などを組み込むのに好適な構成となっている。
【００１８】
外部導体３００は、例えば、金属板等の導電性材料を打ち抜き及び折り曲げ加工することにより形成される。外部導体３００の上面には、円筒状の上部３０１が設けられている。同軸プラグ挿入時に、同軸プラグ側の外部導体７０２ａ、７０２ｂの下端部が上部３０１に当接し、同軸コネクタ１００の外部導体３００と電気接続されるようになっている。
また、外部導体３００の上部３０１の外周面には半円断面の環状溝３０２が形成されており、他のタイプの同軸プラグ（図示せず）挿入時に、同軸プラグ側の外部導体７０２ａ、７０２ｂの下端部がこの環状溝３０２に嵌合可能となっている。
【００１９】
接続板４００は、例えば、ベリリウム銅、りん青銅、三元銅、コルソン銅等の導電性材料の金属板を打ち抜き及び折り曲げ加工することにより形成される。接続板４００は、平板状の固定部４０３と、固定部４０３から絶縁ハウジング２００の中心へ向けて上方に傾斜して延出した弾性変形可能な延出部４０４と、固定部４０３の基端側から下方に曲成された端部に設けた基板接続部４０１などを有する。延出部４０４は、縦孔２０３の真下に、該縦孔２０３よりも径の小さな円形状の孔４０７を有し、同軸プラグ７００ｂの細い中心導体７０１ｂが通り抜けられるようになっている。固定部４０３は絶縁ハウジング２００の側方から絶縁ハウジング２００の空間２０４に水平姿勢で一体成形される。この結果、固定部４０３は、絶縁ハウジング２００の内部に固着され、基板接続部４０１は、絶縁ハウジング２００の外部に露出されたままの状態となる。また、固定部４０３と延出部４０４のほぼ中間部分には下方から上方に向けた窪んだ接触部（第３の接触部）４０２が設けられており、切り換えバネ５００の接触部（第４の接触部）５０４が僅かながら摺動するように接触しており、接触信頼性を高めることができるようになっている。また、接続板４００の先端部分は、二股構造になっており、多点接触している。
【００２０】
また、接続板４００の延出部４０４が、上方へ少し跳ね上がって弾性変形可能となっており、その弾性力により同軸プラグ７００ａの中心導体７０１ａとの接触信頼性を高めることができるようになっている。また、中心導体７０１ａとの接触時に、延出部４０４が押し下げられて、接続板４００の接触部４０２と、切り換えバネ５００の接触部５０４とが摺動するように接触しているため、接触部４０２，５０４のワイピング（クリーニング）効果が更に得られる。なお、絶縁ハウジング２００は、例えば２つの構成部品（２００ａ，２００ｂ）に分けることが可能であるので、後述する切り換えバネ５００の弾性部５０３の様な上方に延びる弾性片を組み込むのに好適である。
【００２１】
図５は、絶縁物６０１が一体成形された切り換えバネ５００の構成例（完成品）を示す斜視図であり、図５（ａ）は上側から見た図、図５（ｂ）は、下側から見た図である。図６は、絶縁物６０１が一体成形される前の切り換えバネ５００の構成例（端子のみ）を示す斜視図であり、図６（ａ）は上側から見た図、図６（ｂ）は、下側から見た図である。
【００２２】
切り換えバネ５００は、例えば、ベリリウム銅、りん青銅、三元銅、コルソン銅等の導電性材料の金属板を打ち抜き及び折り曲げ加工することにより形成される。切り換えバネ５００は、平板状の固定部５０２と、この固定部５０２の基端側から下方に曲成された基板接続部５０１と、固定部５０２から先端方向斜め上方に片持ち梁状に延出する弾性部５０３とを備えている。弾性部５０３のほぼ中心にある接触部（第２の接触部）５０９は同軸プラグ７００ｂの細い中心導体７０１ｂと当接可能であり、この当接位置より先端側に２股に分かれた２つの接触部（第４の接触部）５０４を有し、２つの接触部５０４は、それぞれ、接続板４００の２つの接触部（第３の接触部）４０２の下端と接触可能となっている。
【００２３】
切り換えバネ５００の上面には、さらに、同軸プラグ７００ｂの細い中心導体７０１ｂの先端部が当接する位置（縦孔２０３の中心近傍）から外れた位置であって、同軸プラグ７００ａの外延部を持つ中心導体７０１ａの先端部の一部が当接する部分に絶縁物６０１（上側部分６０１ａ，６０１ｂ）が形成されている。また、絶縁物６０１は、切り換えバネ５００の２つの孔５１１ａ，５１１ｂ（図６参照）を介して、上側部分６０１ａ，６０１ｂと下側部分６０１ｃが連結している。また、絶縁物６０１の上側部分６０１ａと上側部分６０１ｂは分離しており、下側部分６０１ｃにより切り換えバネ５００の下面で連結されている。孔５１１ａ，５１１ｂよりも大きな面積の絶縁物６０１を切り換えバネ５００の上下面に一体的に形成し、挟み込む状態とすることにより、絶縁物６０１が切り換えバネ５００に厚み方向（中心導体７０１ｂの先端部が当接し押圧する方向）で係合した状態で固着されるので、絶縁物６０１が切り換えバネ５００に強固に固定され、絶縁物６０１が切り換えバネ５００から剥離しにくくなる。また、切り換えバネ５００下側の孔５１１ａと孔５１１ｂの間の連結部５１２は、一段薄くなっており、樹脂一体成形時に、モールドの流動性が良くなり、かつ、モールドの厚さを十分に確保することができるようになっている。また、接続板４００に近い絶縁物６０１ｂには、接続板４００との干渉を避けるように傾斜６０１ｄが設けられている。これにより、同軸プラグが挿入されていないとき、第３の接触部４０２と第４の接触部５０４の接触が妨げられないようになっている。２箇所の絶縁物６０１ａ，６０１ｂを繋いだ構造とすることにより、固定強度が強化され、さらに、同軸プラグの中心導体で押圧される箇所の裏面を樹脂で充填することで、バネの塑性変形を防ぐ効果がある。
【００２４】
図７〜図１２は、切り換えバネ５００の変形例を示す斜視図である。図７は、絶縁物６０１が一体成形された切り換えバネ５００の第１の変形例（完成品）を示す斜視図であり、図８は、絶縁物６０１が一体成形される前の切り換えバネ５００の第１の変形例（端子のみ）を示す斜視図である。図７に示すように、切り換えバネ５００の両面を挟み込むようにしてドーナツ状の絶縁物６０１を一体成形して形成することも可能である。
【００２５】
図９は、絶縁物６０１が一体成形された切り換えバネ５００の第２の変形例（完成品）を示す斜視図であり、（ａ）は上側から見た図、（ｂ）は下側から見た図である。図１０は、絶縁物６０１が一体成形される前の切り換えバネ５００の第２の変形例（端子のみ）を示す斜視図である。図９及び図１０に示すように、切り換えバネ５００の両側面に切り欠き５１３を設け、この切り欠き５１３を挟み込むようにして帯状の絶縁物６０１を一体成形して形成することも可能である。
【００２６】
図１１は、絶縁物６０１が一体成形された切り換えバネ５００の第３の変形例（完成品）を示す斜視図であり、（ａ）は上側から見た図、（ｂ）は下側から見た図である。図１２は、絶縁物６０１が一体成形される前の切り換えバネ５００の第３の変形例（端子のみ）を示す斜視図である。図１１及び図１２に示すように、切り換えバネ５００の弾性部５０３の接触部５０９の部分に孔５１４を設け、その孔５１４を通して、切り換えバネ５００の上下面に絶縁物６０１を一体成形して形成することも可能である。なお、孔５１４の直径よりも絶縁物６０１の直径を大きくすることにより、絶縁物６０１の剥離が防止される。この第３の変形例の場合、同軸プラグ７００ｂの細い中心導体７０１ｂの先端部の中央部分であって、絶縁物６０１に当接する部分に窪み（凹部）を形成し、中心導体７０１ｂの先端部の周辺部分を筒状に突出させて、同軸プラグ嵌合時に、絶縁物６０１との干渉を避けて、その周辺部分のみが切り換えバネ５００に接触するようにする。また、同軸プラグ７００ａの太い中心導体７０１ａの先端部の中央部分であって、絶縁物６０１に当接する部分に突起（凸部）を形成し、同軸プラグ嵌合時に、その突起で切り換えバネ５００を押し下げて、中心導体７０１ａの周辺部分のみが接続板４００に接触するようにする。
【００２７】
図１３は、接続板４００の変形例を示す斜視図であり、（ａ）は上側から見た図、（ｂ）は下側から見た図である。図１３に示すように、孔４０７の周辺部の接触部４０８を下面側から打ち出し加工して上面側に突起した形状としてもよい。このとき、突起の上面に傾斜を設けてエッジ部を形成することによって、ゴミなどの異物が表面に付着が避けられる。
【００２８】
図１４は、下側絶縁ハウジング２００ｂと切り換えバネ５００を組み合わせた構成を示す斜視図である。これらは、構成部品を組み立てて構成してもよく、金型に樹脂等を流し込み一体成形（モールド）で構成してもよい。図１５は、上側絶縁ハウジング２００ａと接続板４００と外部導体３００を組み合わせた構成を示す斜視図であり、ひっくり返した状態の図である。これらは、構成部品を組み立てて構成してもよく、金型に樹脂等を流し込み一体成形（モールド）で構成してもよい。本実施の形態による同軸コネクタ１００は、図１５の構成をひっくり返して図１４の構成に被せて外部導体３００の両側をかしめることにより、組み立てられる。また、下側絶縁ハウジング２００ｂの支持部２０６が、接続板４００の延出部４０４の両縁に干渉可能な構成となっているので、同軸プラグ嵌合時に接続板４００が強い力で押し下げられても、支持部２０６で接続板４００の所定以上の下方移動が規制されるようになっている。
【００２９】
図１６は、外延部７０５を持つ同軸プラグ７００ａを同軸コネクタ１００に嵌合した状態を示す図であり、（ａ）は全体図、（ｂ）は同軸コネクタ１００近傍の拡大断面図である。図１７は、外延部を持たない同軸プラグ７００ｂを同軸コネクタ１００に嵌合した状態を示す図であり、（ａ）は全体図、（ｂ）は同軸コネクタ１００近傍の拡大断面図である。
【００３０】
検査には、少なくとも２種類の先端部を持つ同軸プラグが使用される。なお、本明細書において、中心導体の「先端部」とは、中心導体の軸方向の端部であって、同軸コネクタの縦孔に挿入される部分をいう。また、中心導体の「先端部分」とは、「先端部」の一部であって、切り換えバネに当接する部分をいう。また、「外延部」とは、「先端部」の一部であって、「先端部分」の周りに設けられ中心導体の径方向に延びる環状の部分をいう。
【００３１】
アンテナなどの特性を測定するために、接続板４００と切り換えバネ５００を電気的に遮断して、接続板４００と同軸プラグの中心導体とを電気的に接続する場合、中心導体の先端部が大きい直径を持つ第１の同軸プラグ７００ａを使用する。図１６（ｂ）に示すように、同軸プラグ７００ａの先端部分は、外延部７０５の下端位置から下方に突出する環状で断面段差状の突起７０３を有する。突起７０３は、接続板４００の孔４０７を通り抜ける位置に設けられているが、突起７０３の外周部分の直径は孔４０７の直径より大きくなっており、外延部７０５を形成している。そして、突起７０３が、切り換えバネ５００上の絶縁物６０１ａ，６０１ｂに当接するようになっている。絶縁物の厚みがあることで、中心導体７０１ａは、切り換えバネ５００の接触部５０９と接触しない構造となっている。また、同軸プラグ７００ａの挿入時には、中心導体７０１ａの外延部７０５が接続板４００の接触部４０８に当接するようになっている。また、同軸プラグは、プラグの本体に対して、外部導体７０２ａ、７０２ｂがプラグ絶縁体と共に上下方向に変位可能に弾性支持されており、中心導体も独立して変移可能に弾性支持されている。
【００３２】
高周波回路などの特性を測定するために、接続板４００と切り換えバネ５００を電気的に遮断して、切り換えバネ５００と同軸プラグの中心導体とを電気的に接続する場合、中心導体の先端部が第１の同軸プラグ７００ａよりも小さい直径を持つ第２の同軸プラグ７００ｂを使用する。第２の同軸プラグ７００ｂの中心導体７０１ｂの先端部の直径は、接続板４００の孔４０７より小さく、孔４０７を通り抜けるようになっている。そして、中心導体７０１ｂの先端部が、切り換えバネ５００の接触部５０９に当接するようになっている。なお、アンテナと高周波回路の接続関係は、逆であってもよい。
【００３３】
同軸プラグ７００ａ、７００ｂが装着されていないときは、切り換えバネ５００の接触部（第４の接触部）５０４は、弾性部５０３の弾性力により接続板４００の接触部（第３の接触部）４０２に押し付けられて、接続板４００と切り換えバネ５００は電気的に接続された状態を保持する。
【００３４】
外延部７０５を持つ第１の同軸プラグ７００ａが装着されているときは、第１の同軸プラグ７００ａの外部導体７０２ａの下端部は外部導体３００に当接し、同軸プラグの中心導体７０１ａの先端部は、縦孔２０３に挿通する。この状態で同軸プラグ７００ａの中心導体７０１ａの先端部分の突起７０３は、弾性部５０３の絶縁物６０１に当接する。このとき、同軸プラグの中心導体の弾性力は弾性部５０３よりも強いので、弾性部５０３は同軸プラグの中心導体により押し下げられ、弾性変形し、接触部５０４が接触部４０２から離間し、接続板４００と切り換えバネ５００は電気的に切り離される。また、それと同時に、同軸プラグの中心導体の先端部の外延部７０５が、接続板４００の延出部４０４の孔４０７の外縁の接触部（第１の接触部）４０８に当接し、同軸プラグの中心導体と接続板４００が接続された状態となる。これにより、接続板４００から切り換えバネ５００へ流れていた信号を、接続板４００から同軸プラグの中心導体へ流して、アンテナを検査することが可能になる。
【００３５】
第２の接触部５０９、第４の接触部５０４及び絶縁物６０１の位置関係は、第３の接触部４０２と第４の接触部５０４との接続を遮断するのに好ましい位置関係となっている。
すなわち、片持ち梁状の切り換えバネ５００の自由端側に第４の接触部５０４があり、その接触部位置よりも基部側に絶縁物６０１が当接するので、当接した部分の変位量よりも自由端側である第４の接触部５０４の変位量が大きくなる。
【００３６】
先端部の直径が小さい中心導体を持つ第２の同軸プラグ７００ｂが装着されているときは、第２の同軸プラグ７００ｂの外部導体７０２ｂの下端部は外部導体３００に当接し、同軸プラグの中心導体７０２ｂの先端部は、縦孔２０３に挿通する。この状態で同軸プラグの中心導体７０２ｂは、弾性部５０３の接触部（第２の接触部）５０９に当接する。このとき、同軸プラグの中心導体の弾性力は弾性部５０３よりも強いので、弾性部５０３は同軸プラグの中心導体により押し下げられ、弾性変形し、接触部５０４が接触部４０２から離間し、接続板４００と切り換えバネ５００は電気的に切り離されると同時に、同軸プラグの中心導体と切り換えバネ５００が接続された状態となる。これにより、切り換えバネ５００から接続板４００へ流れていた信号を、切り換えバネ５００から同軸プラグの中心導体へ流して、高周波回路を検査することが可能になる。
【００３７】
図１８〜図２２は、他の実施の形態において、同軸コネクタの接続板４００の下面に絶縁物６０１を設けた構成を示す斜視図である。図１８及び図１９に示すように、絶縁物６０１を接続板４００の弾性部５０３の先端部の下面に設けてもよい。この場合、接続板４００が、直径の大きい中心導体の外延部７０５によって押し下げられることによって、絶縁物６０１の作用によって切り換えバネ５００も押し下げられ、接続板４００と切り換えバネ５００との接触を遮断することができる。すなわち、図１６に示すような突起７０３がない中心導体であっても、中心導体７０１ａ、７０１ｂによって直接、絶縁物６０１を押し下げることなく、接続板４００と切り換えバネ５００との電気的接続を遮断することができる。
【００３８】
図２０及び図２１は、図１８及び図１９と同様に接続板の他の構成例を示す斜視図である。図２０及び図２１に示すように、接続板４００の弾性部５０３の孔４０７の周辺部の２箇所に孔５１５を開け、接続板４００の下面から孔５１５に嵌合して絶縁物６０１を形成してもよい。この場合、接続板４００が、直径の大きい中心導体によって押し下げられることによって、絶縁物６０１の作用によって切り換えバネ５００も押し下げられ、接続板４００と切り換えバネ５００との接触を遮断することができる。すなわち、図１６に示すような突起７０３がない中心導体であっても、中心導体７０１ａ、７０１ｂによって直接、絶縁物６０１を押し下げることなく、接続板４００と切り換えバネ５００との電気的接続を遮断することができる。
【００３９】
図２２は、図２０及び図２１と同様に接続板の他の構成例を示す斜視図である。図２２に示すように、接続板４００の弾性部５０３の孔４０７の周辺部の２箇所に切り欠き５１７を設け、接続板４００の側面から切り欠き５１７に嵌合して絶縁物６０１を形成してもよい。切り欠き５１７の形状は、接続板４００の上面が最も広く下面に向けて狭くなる傾斜状となっている。このような形状で絶縁物６０１を形成することにより、絶縁物６０１が接続板４００の板厚方向で係合固着した状態となり剥離しにくくなる。また、傾斜の代わりに、アリ溝状やジグザグ状（波状）の形状にしても、同様の効果が得られる。この場合、接続板４００が、直径の大きい中心導体によって押し下げられることによって、絶縁物６０１の作用によって切り換えバネ５００も押し下げられ、接続板４００と切り換えバネ５００との接触を遮断することができる。すなわち、図１６に示すような突起７０３がない中心導体であっても、中心導体７０１ａ、７０１ｂによって直接、絶縁物６０１を押し下げることなく、接続板４００と切り換えバネ５００との電気的接続を遮断することができる。
【００４０】
図２０〜図２２に示されているように、接続板４００を押し、絶縁物６０１を介して切り換えバネ５００を押し下げるばあいには、弾性部５０３を複数の片にて構成するならば、一方の片が適正に押し下げられなくとも、他方の片が切り換えバネ５００を押し下げるメリットがある。
【００４１】
図１８〜図２２では、変形例として、同軸コネクタの接続板４００の下面に絶縁物６０１を設けた構成例を示したが、接続板４００の代わりに切り換えバネ５００側に絶縁物６０１を設けても同様の作用・効果が得られる。例えば、切り換えバネ５００の弾性部５０３の両側に張り出した形で絶縁物６０１を設け、接続板４００の押圧、変形に基づいて切り換えバネ５００を変位させる。絶縁物６０１の取り付けは、図１８〜図２２の実施例のように、切り換えバネ５００に孔を開けて絶縁物６０１を係合固着したり、傾斜を設けて係合固着したり、切り欠きを設けて係合固着したり、アリ溝状やジグザグ状（波状）の形状で係合固着したりしてもよい。また、切り換えバネ５００の下面側の絶縁物６０１を図２０の実施形態のように、板厚内でアリ溝形状で係合固着させ、面から突出しないようにすることもできる。このような構成にすることにより、図１８〜図２２の実施例と同じく、同軸プラグで絶縁物を直接接触して押さないので、絶縁物のダメージを防止できる。
【００４２】
したがって、前記実施の形態の同軸コネクタによれば、高生産性及び低コストの構造で、しかも耐久性の高い、複数端子の切り替えが可能になる。また、挿着時の回転角度の制限がなく操作性良くできる。更には、絶縁物を一体成形することにより、生産効率が高いものができる。また、絶縁物により隙間が遮られ、ごみが入りにくい。
【００４３】
以上、本発明者によってなされた発明をその実施の形態に基づき具体的に説明したが、本発明は前記実施の形態に限定されるものではなく、その要旨を逸脱しない範囲で種々変更可能であることはいうまでもない。また、前記複数の実施の形態の一部をそれぞれ適宜組み合わせてもよい。
【産業上の利用可能性】
【００４４】
本発明に係るスイッチ付き同軸コネクタは、携帯電話機、スマートフォン、ＰＤＡ、タブレット形パーソナルコンピュータ等の情報通信機器産業などの幅広い産業分野において利用可能である。
【符号の説明】
【００４５】
１００  同軸コネクタ
２００  絶縁ハウジング
２０２  凹部
２０３  縦孔
２０４  空間
３００  外部導体
３０１  上部
３０２  環状溝
４００  接続板
４０１  基板接続部
４０２  接触部（第３の接触部）
４０３  固定部
４０４  延出部
４０７  孔
４０８  接触部（第１の接触部）
５００  切り換えバネ
５０１  基板接続部
５０２  固定部
５０３  弾性部
５０４  接触部（第４の接触部）
５０５  突起
５０９  接触部（第２の接触部）
５１１  孔
５１２  連結部
５１３  切り欠き
５１４  孔
５１５  孔
５１７  切り欠き
６０１  絶縁物
７００  同軸プラグ
７０１  中心導体
７０２  外部導体
７０３  突起
７０５  外延部
【要約】
【課題】高生産性、低コストで、操作性が良く、しかも耐久性の高い複数端子の切り替えが可能なスイッチ付き同軸コネクタを提供する。
【解決手段】絶縁物６０１が接続板４００と切り換えバネ５００の少なくとも一方において厚み方向で係合した状態で固着され、絶縁物６０１が剥離しにくい構造となっている。同軸プラグが嵌合していないとき、接続板４００と切り換えバネ５００が電気的に接続され、第１の同軸プラグが嵌合すると、絶縁物６０１により切り換えバネ５００が押し下げられ、第４の接触部５０４が第３の接触部４０２から離間し、接続板４００と切り換えバネ５００が電気的に遮断され、中心導体と接続板４００が電気的に接続され、第２の同軸プラグが嵌合すると、第４の接触部５０４が第３の接触部４０２から離間し、接続板４００と切り換えバネ５００が電気的に遮断され、中心導体と切り換えバネ５００が電気的に接続される。
【選択図】図２【図１】
0005587449.tif 000002
【図２】
0005587449.tif 000003
【図３】
0005587449.tif 000004
【図４】
0005587449.tif 000005
【図５】
0005587449.tif 000006
【図６】
0005587449.tif 000007
【図７】
0005587449.tif 000008
【図８】
0005587449.tif 000009
【図９】
0005587449.tif 000010
【図１０】
0005587449.tif 000011
【図１１】
0005587449.tif 000012
【図１２】
0005587449.tif 000013
【図１３】
0005587449.tif 000014
【図１４】
0005587449.tif 000015
【図１５】
0005587449.tif 000016
【図１６】
0005587449.tif 000017
【図１７】
0005587449.tif 000018
【図１８】
0005587449.tif 000019
【図１９】
0005587449.tif 000020
【図２０】
0005587449.tif 000021
【図２１】
0005587449.tif 000022
【図２２】
0005587449.tif 000023